(57)【特許請求の範囲】
【請求項１】
モバイル情報管理サーバ５０で特定のＩＤや電話番号に業者別モバイルページを連動して格納し、管理するインテリジェントモバイル情報管理方法において、
ａ）前記モバイル情報管理サーバ５０が、ユーザ端末２から特定のＩＤや電話番号で構成された検索要求信号及び顧客の座標情報を受信する段階と；
ｂ）前記モバイル情報管理サーバ５０が、当該ＩＤや電話番号にマッチングされた業者の情報を抽出する段階と；
ｃ）当該業者の情報が一つ以上である場合、前記モバイル情報管理サーバ５０が、当該顧客の座標に対する各業者の座標を用いて距離を演算する段階と；
ｄ）前記モバイル情報管理サーバ５０が、最も近い距離にある業者の情報を抽出する段階と；
ｅ）前記モバイル情報管理サーバ５０が、当該業者のモバイルページが存在するか否かによって、モバイルページ又は実際の電話番号情報をユーザ端末２に伝送する段階と；
ｆ）電話番号である場合、前記ユーザ端末２のモバイル情報要求アプリケーション２０が自動的に発信処理を行う段階と；を含み、
前記ａ）段階の前に、事業主側から受信した接続基準座標の購入要求信号について前記モバイル情報管理サーバ５０が既登録の接続基準座標を抽出する段階と；
購入要求した座標を中心に一定の半径内の領域と、当該既登録の接続基準座標を中心に一定の半径内の領域を表示する時に、重畳領域が発生するか否かを判断する段階と；
重畳しない時に、当該座標の販売及び登録処理を行う段階と；
重畳した時に、重畳しない座標を抽出して表示する段階と；を更に含む
ことを特徴とするインテリジェントモバイル情報管理方法。
【請求項２】
前記ａ）段階の前に、前記モバイル情報管理サーバ５０が、業者別又は業者に属する支店や加盟店別にマッチングされるように一つ以上の座標を販売し、登録する段階を更に含む
請求項１に記載のインテリジェントモバイル情報管理方法。
【請求項３】
前記ａ）の段階は、前記ユーザ端末２が検索ウィンドウに特定のＩＤや電話番号を入力する時に、自動的に当該ユーザの位置座標を掛けて前記モバイル情報管理サーバ５０に伝送する段階を更に含む
請求項１に記載のインテリジェントモバイル情報管理方法。
【請求項４】
前記ａ）の段階は、前記ユーザ端末２に特定のＩＤや電話番号のほか、業種を入力できる
請求項１に記載のインテリジェントモバイル情報管理方法。
【請求項５】
前記モバイル情報管理サーバ５０が、前記ユーザ端末２からの自動位置掛け（ａｕｔｏｍａｔｉｃ  ｐｏｓｉｔｉｏｎ  ｈｏｏｋｉｎｇ）ではなく、ユーザが指定した特定の座標に関する情報を受信する段階を更に含む
請求項１に記載のインテリジェントモバイル情報管理方法。
【請求項６】
特定の企業のモバイルページや電話番号にマッチングされた特定のＩＤ又は電話番号の接続要求信号を現在位置情報と一緒に自動的に伝送し、モバイル情報管理サーバ５０から当該企業のモバイルページ情報の転送を受けて画面出力するモバイル情報要求アプリケーション２０が搭載されたユーザ端末２と；
特定の代表電話番号やＩＤにマッチングされた複数の企業や支店のモバイルページ情報及び、各支店の座標情報と各支店の電話番号情報を格納し、前記ユーザ端末２から特定の企業についてのモバイル情報の要求信号とユーザの位置情報を受信する時に、当該企業のモバイルページが存在するか否か及び、支店を有するか否かを判断し、当該ユーザーから最も近い距離に位置した支店情報を抽出して前記ユーザ端末２に伝送処理するモバイル情報管理サーバ５０と；を含み、
前記モバイル情報管理サーバ５０は、既登録の接続基準座標から一定の半径内に属しない座標を抽出する登録可能座標演算部６４を含む
ことを特徴とするインテリジェントモバイル情報管理システム。
【請求項７】
前記モバイル情報要求アプリケーション２０は、電話番号入力部６とキーワード入力部１２を備えたページと連動して電話番号やキーワードが入力されると、自動的に駆動される
請求項６に記載のインテリジェントモバイル情報管理システム。
【請求項８】
前記モバイル情報要求アプリケーション２０は、前記ユーザ端末２の内部に搭載されたＧＰＳモジュール３４から自動的に座標を掛ける座標掛け部３６と；
ユーザが入力したキーワードとユーザ端末２の座標を単一のパケットとして生成するパケット生成部３８と；を含んで構成された
請求項６に記載のインテリジェントモバイル情報管理システム。
【請求項９】
前記モバイル情報要求アプリケーション２０は、ユーザの現在位置ではなく特定の仮想位置をユーザが入力するようになった仮想位置入力部４０を更に含む
請求項６に記載のインテリジェントモバイル情報管理システム。
【請求項１０】
前記モバイル情報管理サーバ５０は、業者別に特定のＩＤ及び代表電話番号を付与してモバイルページと連動して登録し、当該業者に属する複数の加盟店に付与した座標を加盟店のモバイルページ及び電話番号と連動して登録したＩＤ−ＤＢ５４を含む
請求項６に記載のインテリジェントモバイル情報管理システム。
【請求項１１】
前記モバイル情報管理サーバ５０は、ユーザ端末２から複数の加盟店が属する特定の業者のＩＤ又は代表電話番号への接続要求信号が印加された場合、当該加盟店のうちユーザーから最も近い距離に位置した加盟店を抽出するために距離演算を行う距離演算部５８を更に含む
請求項６に記載のインテリジェントモバイル情報管理システム。
【請求項１２】
前記モバイル情報管理サーバ５０は、ユーザ端末２から特定の業種についての検索要求信号が印加された場合、当該業種別に既登録された複数の業者のうち、ユーザーから最も近い距離に位置した業者を抽出するための業種別業者情報と、業者別座標情報を格納する業種ＤＢ５６と、を含む
請求項６に記載のインテリジェントモバイル情報管理システム。
【請求項１３】
前記モバイル情報管理サーバ５０は、新たな接続基準座標の購入を申請する事業主の要求に対して購入要求した座標を中心に一定の半径内の領域と、当該既登録の接続基準座標を中心に一定の半径内の領域を表示する時に、重畳領域が発生するか否かを判断する座標占有領域検索部６２を含む
請求項６に記載のインテリジェントモバイル情報管理システム。
【請求項１４】
前記特定のＩＤは業者名とサービス名が組み合わせたＩＤである
請求項６に記載のインテリジェントモバイル情報管理システム。
【請求項１５】
前記モバイル情報管理サーバ５０は、特定のＩＤ又は電話番号にマッチングされた業者別モバイルページを格納するモバイルページＤＢ６０を含む
請求項６に記載のインテリジェントモバイル情報管理システム。
【発明の詳細な説明】
【技術分野】
【０００１】
本発明はインテリジェントモバイル情報管理システム及びその方法に関するもので、より詳細には、顧客から特定のＩＤや電話番号への接続要求時、複数の支店や加盟店を有している業者の代表ＩＤや電話番号であるか、又はそうでない業者であるかを判断し、顧客から最も近い距離にある支店や加盟店情報を抽出し、顧客の携帯端末に伝送して利便性を向上させ、単一の業者が複数の接続基準座標を購入できるようにすることで、広告費用が売上の向上に直接連動できるようにしたインテリジェントモバイル情報管理システム及びその方法に関するものである。
【背景技術】
【０００２】
周知のように、最近は情報通信技術の発達によって遠距離データ通信網を介して様々な分野の情報を少なくとも一つ以上のホストサーバを通じて複数の加入者側にリアルタイムで提供する情報提供技術が活発に実現されている。
これに基づいて、特に携帯端末分野は急速にその技術開発が進行している。
携帯端末の急速な技術の開発と普及によって、現代人は合間の時間が生じたり、又は合間の時間を意図的に作って携帯端末を習慣的に操作している。
このような実情が反映された結果、デスクトップコンピュータのシェアが急減しており、モバイルを通じたサービス、例えば、モバイルショッピングなどの規模が急速に増加している状態である。
従って、このような時代の推移によって、大企業はもちろん、中小企業もモバイルデータ通信網を介してユーザがアクセスしやすくするように、モバイルホームページを制作している。
しかし、このようなモバイルページをユーザが閲覧するようにするためには、当該モバイルページの広報も必要である問題がある。
【０００３】
また、ユーザに業者名を刻印させるように、特定の代表電話番号を刻印させて商品の注文時に無意識のうちに、当該代表電話番号を覚えさせるようにするためのマーケティングが活発に行われている。特に、複数の加盟店を有しているフランチャイズ店又は複数のサービス要員や営業要員を備えた代行運転業者、複数の支店を備えた保険業者などのような業者は代表電話番号を知らせるために努力していることが実情である。
しかし、このような代表電話番号を用いて商品を注文するか、又はサービスを要求するために顧客が電話通話を行う場合、顧客は自分が位置した特定の支店又は自分が望む特定の位置から最も近い距離にある支店を連結するための別経路をキー選択やカウンセラーとの通話を通じて検索して行かなければならない。そのため、面倒であり、多くの時間がかかるなどの不便さがある。
【０００４】
一方、通常の支店や加盟店は行政区域を基準に区分して商品の販売やサービスの提供を行っているが、隣接する他の行政区域に位置した支店が顧客の属する行政区域の支店よりも、顧客から近い距離にある場合もあり得る。
また、最も小規模の行政区域、例えば、洞（村）単位の行政区域といっても、その面積がかなり大きく、人口密度が高い場合であり、且つかなり広い面積のサービスが可能な業種である場合は、様々な方式で広告を実行しても、その努力が直接売上に連結されない問題がある。
従って、ローカル単位の広告進行が直接的な売上の上昇に影響を与えることができる別のシステム構築が切実に必要である実情である。
【発明の概要】
【発明が解決しようとする課題】
【０００５】
本発明は前述した従来技術の事情に鑑みてなされたものであり、客様から特定のＩＤや電話番号への接続要求時、複数の支店や加盟店を有している業者の代表ＩＤや電話番号であるか、又はそうでない業者であるかを判断し、当該顧客から最も近い距離にある支店や加盟店情報を抽出し、顧客の携帯端末に伝送して利便性を向上させ、単一の業者が複数の接続基準座標を購入できるようにすることで、広告費用が売上の向上に直接連動できるようにしたインテリジェントモバイル情報管理システム及びその方法を提供することにその目的がある。
【課題を解決するための手段】
【０００６】
前述した目的を達成するために、本発明の好ましい実施形態によれば、モバイル情報管理サーバで特定のＩＤや電話番号に業者別モバイルページを連動して格納し、管理するインテリジェントモバイル情報管理方法において、ａ）前記モバイル情報管理サーバが、ユーザ端末から特定のＩＤや電話番号で構成された検索要求信号及び顧客の座標情報を受信する段階と；ｂ）前記モバイル情報管理サーバが、当該ＩＤや電話番号にマッチングされた業者の情報を抽出する段階と；ｃ）当該業者の情報が一つ以上である場合、前記モバイル情報管理サーバが、当該顧客の座標に対する各業者の座標を用いて距離を演算する段階と；ｄ）前記モバイル情報管理サーバが、最も近い距離にある業者の情報を抽出する段階と；ｅ）前記モバイル情報管理サーバが、当該業者のモバイルページが存在するか否かによって、モバイルページ又は実際の電話番号情報をユーザ端末に伝送する段階と；ｆ）電話番号である場合、前記ユーザ端末のモバイル情報要求アプリケーションが自動的に発信処理を行う段階と；を含むことを特徴とするインテリジェントモバイル情報管理方法が提供される。
【０００７】
好ましくは、前記ａ）段階の前に、前記モバイル情報管理サーバが、業者別又は業者に属する支店や加盟店別にマッチングされるように一つ以上の座標を販売し、登録する段階を更に含むことを特徴とするインテリジェントモバイル情報管理方法が提供される。
【０００８】
好ましくは、前記ａ）の段階は、前記ユーザ端末が検索ウィンドウに特定のＩＤや電話番号を入力する時に、自動的に当該ユーザの位置座標を掛けて前記モバイル情報管理サーバに伝送する段階を更に含むことを特徴とインテリジェントモバイル情報管理方法が提供される。
【０００９】
好ましくは、前記ａ）の段階は、前記ユーザ端末に特定のＩＤや電話番号のほか、業種を入力できることを特徴とするインテリジェントモバイル情報管理方法が提供される。
【００１０】
好ましくは、前記ａ）段階の前に、事業主側から受信した接続基準座標の購入要求信号について前記モバイル情報管理サーバが既登録の接続基準座標を抽出する段階と；購入要求した座標を中心に一定の半径内の領域と、当該既登録の接続基準座標を中心に一定の半径内の領域を表示する時に、重畳領域が発生するか否かを判断する段階と；重畳しない時に、当該座標の販売及び登録処理を行う段階と；重畳した時に、重畳しない座標を抽出して表示する段階と；を更に含むことを特徴とするインテリジェントモバイル情報管理方法が提供される。
【００１１】
好ましくは、前記モバイル情報管理サーバが、前記ユーザ端末からの自動位置掛け（ａｕｔｏｍａｔｉｃ  ｐｏｓｉｔｉｏｎ  ｈｏｏｋｉｎｇ）ではなく、ユーザが指定した特定の座標に関する情報を受信する段階を更に含むことを特徴とするインテリジェントモバイル情報管理方法が提供される。
【００１２】
一方、本発明は特定の企業についてのモバイルページや電話番号にマッチングされた特定のＩＤ又は電話番号の接続要求信号を現在位置情報と一緒に自動的に伝送し、モバイル情報管理サーバから当該企業のモバイルページ情報の伝送を受けて画面出力するモバイル情報要求アプリケーションが搭載されたユーザ端末と；特定の代表電話番号やＩＤにマッチングされた複数の企業や支店のモバイルページ情報及び、各支店の座標情報と各支店の電話番号情報を格納し、前記ユーザ端末から特定の企業についてのモバイル情報の要求信号とユーザの位置情報を受信する時に、当該企業のモバイルページが存在するか否か及び、支店を有するか否かを判断し、当該ユーザーから最も近い距離に位置した支店情報を抽出して前記ユーザ端末に伝送処理するモバイル情報管理サーバと；を含むことを特徴とするインテリジェントモバイル情報管理システムが提供される。
【００１３】
好ましくは、前記モバイル情報要求アプリケーションは、電話番号入力部とキーワード入力部を備えたページと連動して電話番号やキーワードが入力されると、自動的に駆動されるようになったことを特徴とするインテリジェントモバイル情報管理システムが提供される。
【００１４】
好ましくは、前記モバイル情報要求アプリケーションは、前記ユーザ端末の内部に搭載されたＧＰＳモジュールから自動的に座標を掛ける座標掛け部と；ユーザが入力したキーワードとユーザ端末の座標を単一のパケットとして生成するパケット生成部と；を含んで構成されたことを特徴とするインテリジェントモバイル情報管理システムが提供される。
【００１５】
好ましくは、前記モバイル情報要求アプリケーションは、ユーザの現在位置ではなく特定の仮想位置をユーザが入力するようになった仮想位置入力部を更に含むことを特徴とするインテリジェントモバイル情報管理システムが提供される。
【００１６】
好ましくは、前記モバイル情報管理サーバは、業者別に特定のＩＤ及び代表電話番号を付与してモバイルページと連動して登録し、当該業者に属する複数の加盟店に付与した座標を加盟店のモバイルページ及び電話番号と連動して登録したＩＤ−ＤＢを含んで構成されたことを特徴とするインテリジェントモバイル情報管理システムが提供される。
【００１７】
好ましくは、前記モバイル情報管理サーバは、ユーザ端末から複数の加盟店が属する特定の業者のＩＤ又は代表電話番号への接続要求信号が印加された場合、当該加盟店のうちユーザーから最も近い距離に位置した加盟店を抽出するために距離演算を行う距離演算部を更に含むことを特徴とするインテリジェントモバイル情報管理システムが提供される。
【００１８】
好ましくは、前記モバイル情報管理サーバは、ユーザ端末から特定の業種についての検索要求信号が印加された場合、当該業種別に既登録された複数の業者のうち、ユーザーから最も近い距離に位置した業者を抽出するための業種別業者情報と、業者別座標情報を格納する業種ＤＢと、を含むことを特徴とするインテリジェントモバイル情報管理システムが提供される。
【００１９】
好ましくは、前記モバイル情報管理サーバは、新たな接続基準座標の購入を申請する事業主の要求に対して購入要求した座標を中心に一定の半径内の領域と、当該既登録の接続基準座標を中心に一定の半径内の領域を表示する時に、重畳領域が発生するか否かを判断する座標占有領域検索部を含むことを特徴とするインテリジェントモバイル情報管理システムが提供される。
【００２０】
好ましくは、前記モバイル情報管理サーバは、既登録の接続基準座標から一定の半径内に属しない座標を抽出する登録可能座標演算部を含むことを特徴とするインテリジェントモバイル情報管理システムが提供される。
【００２１】
好ましくは、前記特定のＩＤは業者名とサービス名が組み合わせたＩＤであることを特徴とするインテリジェントモバイル情報管理システムが提供される。
【００２２】
好ましくは、前記モバイル情報管理サーバは、特定のＩＤ又は電話番号にマッチングされた業者別モバイルページを格納するモバイルページＤＢを含むことを特徴とするインテリジェントモバイル情報管理システムが提供される。
【発明の効果】
【００２３】
本発明に係るインテリジェントモバイル情報管理システム及びその方法によれば、ユーザがアプリケーションを用いて迅速に特定のＩＤや電話番号で構成されたモバイルページに接続したり、又は電話接続が行われ、その接続時に当該ユーザの位置から最も近い距離にある業者又は支店に接続されるように処理するので、利便性が高く、接続時間が短縮する効果がある。また、その接続基準座標を販売するようにし、接続基準座標を多く有している業者であるほど、ユーザーの接続が増加して売上高が上昇できるので、プロモーション費用が売上高に直接的な影響を与える長所がある。
【図面の簡単な説明】
【００２４】
【図１】本発明の一実施形態に係るインテリジェントモバイル情報管理システムの概略的な構成を示す模式図
【図２】本発明の一実施形態に係るインテリジェントモバイル情報管理システムを用いて離間距離を反映した支店の自動抽出状態を示す説明図
【図３】本発明の一実施形態に係るインテリジェントモバイル情報管理システムを用いた接続基準座標の登録と検索の状態を示す説明図
【図４】本発明の一実施形態に係るインテリジェントモバイル情報管理システムを用いた顧客の接続過程を示す説明図
【図５】本発明の一実施形態に係るインテリジェントモバイル情報管理システムに含まれたユーザ端末とモバイル情報管理サーバの構成を示すブロック図
【図６】本発明の一実施形態に係るインテリジェントモバイル情報管理システムの信号の流れを示すフローチャート
【発明を実施するための最良の形態】
【００２５】
以下、図面を参照して本発明の実施形態を詳細に説明する。
図１は本発明の一実施形態に係るインテリジェントモバイル情報管理システムの概略的な構成を示す模式図であり、図２は本発明の一実施形態に係るインテリジェントモバイル情報管理システムを用いて離間距離を反映した支店の自動抽出状態を示す図である。
これらの図を参照すれば、本発明の一実施形態に係るインテリジェントモバイル情報管理システムは、顧客から特定のＩＤや電話番号への接続要求時、複数の支店や加盟店を有している業者の代表ＩＤや電話番号であるか、又はそうでない業者であるかを判断し、当該顧客から最も近い距離にある支店や加盟店情報を抽出し、顧客の携帯端末に伝送して利便性を向上させ、単一の業者が複数の接続基準座標を購入できるようにすることで、広告費用が売上の向上に直接連動できるようにしたシステムである。
【００２６】
より詳細には、本発明の一実施形態に係るインテリジェントモバイル情報管理システムは、特定の企業についてのモバイルページや電話番号にマッチングされた特定のＩＤ又は電話番号の接続要求信号を現在位置情報と一緒に自動的に伝送し、モバイル情報管理サーバ５０から当該企業のモバイルページ情報の転送を受けて画面出力するモバイル情報要求アプリケーション２０が搭載されたユーザ端末２を含む。
また、本発明の一実施形態に係るインテリジェントモバイル情報管理システムは、特定の代表電話番号やＩＤにマッチングされた複数の企業や支店のモバイルページ情報及び、各支店の座標情報と各支店の電話番号情報を格納し、ユーザ端末２から特定の企業についてのモバイル情報の要求信号とユーザの位置情報を受信する時に、当該企業のモバイルページが存在するか否か及び、支店を有するか否かを判断し、当該ユーザーから最も近い距離に位置した支店情報を抽出してユーザ端末２に転送処理するモバイル情報管理サーバ５０を含んで構成される。
【００２７】
本発明の一実施形態に係るインテリジェントモバイル情報管理システムで流通される特定のＩＤは、モバイル情報管理サーバ５０に登録されて複数のモバイル情報要求アプリケーション２０の間に流通されるＩＤであり、モバイル情報要求アプリケーション２０とモバイル情報管理サーバ５０とは、アプリケーションに搭載されたＡＰＩツールによって接続及び連動するように構成される。
一方、特定のＩＤ８は特定の業者名であるか、又は電話番号であり得、業者名とサービス名が組み合わせたＩＤも可能である。
また、業者名は複数の支店や加盟店を有している代表業者名であり得る。例えば、フランチャイズ店は「○○チキン」のような形態の業者名からなるＩＤを使用するが、当該ＩＤは複数の加盟店や支店を有している場合である。
【００２８】
一方、電話番号も同様に、複数の支店や加盟店に再連結できる代表電話番号であり得る。例えば、「１５８８−１５８８」の場合、複数の支店や加盟店に再連結できる代行運転業者のＩＤであると共に、電話番号であることもできる。
この時、ユーザ端末２に設けられた既存の電話番号入力ウィンドウ（図示せず）に「１５８８−１５８８」のような電話番号を入力すると、通常の電話接続方式で当該業者のＡＲＳに接続することができる。しかし、好ましくは、本発明では通常の電話番号ではなく、特殊な数字でも電話接続が行われるように、別の電話番号入力ウィンドウ４を提供する。その電話番号入力ウィンドウ４がモバイル情報要求アプリケーション２０に連動してモバイルページに接続したり、電話接続が行われるように処理する。
【００２９】
従って、電話番号入力ウィンドウ４に特定の数字を入力すると、モバイル情報要求アプリケーション２０はその情報をモバイル情報管理サーバ５０に伝送し、そのモバイル情報管理サーバ５０は当該数字が既登録されたＩＤに存在するか否かを検索する。
もし、既登録されたＩＤに該当数字が存在しないと、モバイル情報管理サーバ５０は当該数字が電話番号である否かを検索する。電話番号である場合、モバイル情報管理サーバ５０は再び当該数字が電話番号であるという情報と自動発信制御情報をユーザ端末２に伝送して自動発信が行われるようにする。
反面に、当該数字がモバイル情報管理サーバ５０に既登録されたＩＤ８である場合、当該ＩＤにマッチングされたモバイルページが存在するか、又は電話番号のみが存在するかを判断し、モバイルページが存在する場合は、モバイルページ情報をユーザ端末２に伝送する。
モバイルページが存在しない場合は、同様にマッチングされた実際の電話番号情報と自動発信制御情報をユーザ端末２に伝送して自動発信が行われるようにする。
【００３０】
一方、図２に示すように、当該数字で構成されたＩＤ８がモバイル情報管理サーバ５０に既登録されたＩＤである場合、当該ＩＤにマッチングされた複数の支店が存在すると、モバイル情報管理サーバ５０は検索要求信号の受信時に、ユーザ端末２から自動伝送された座標情報及び既登録された各支店別座標情報を用いてユーザから最も近い距離に位置した支店を探索する。
例えば、当該ユーザの位置に最も近い支店が、韓国の安養東安区店である場合、モバイル情報管理サーバ５０は距離演算を通じて安養東安区店を抽出することができる。
いずれかの支店が抽出されると、モバイル情報管理サーバ５０は当該支店にマッチングされたモバイルページが存在するか、又は電話番号のみが存在するかを判断し、モバイルページが存在する場合は、モバイルページ情報をユーザ端末２に伝送する。
【００３１】
また、本発明の一実施形態に係るインテリジェントモバイル情報管理システムに含まれたユーザ端末２は電話番号入力ウィンドウの代わりに、まずモバイル情報要求アプリケーション２０を駆動させた状態で、画面に出力される検索ウィンドウ１０に電話番号又は数字や文字で構成されたＩＤ８を入力して接続要求信号を発生させることができる。
従って、モバイル情報要求アプリケーション２０は電話番号入力部６とキーワード入力部１２を備えたページと連動して電話番号やキーワードが入力されると、自動的に駆動されるように構成される。
なお、モバイル情報要求アプリケーション２０はユーザの現在位置を自動的に座標に掛けて、モバイル情報管理サーバ５０に提供することもできるが、ユーザが特定の位置を指定することもあり得る。例えば、ユーザが移動している場合、特定の位置に到着することを予想して当該位置を入力し、最も近い距離にある支店への接続を要求することもできる。
【００３２】
図３は本発明の一実施形態に係るインテリジェントモバイル情報管理システムを用いた接続基準座標の登録と検索の状態を示す図である。
この図を参照すれば、本発明の一実施形態に係るインテリジェントモバイル情報管理システムに含まれたモバイル情報管理サーバ５０は、複数の座標をユーザの接続基準座標として活用するために、事業主に販売することができ、いずれかの業者又はいずれかの支店でも複数の座標を有することができる。
業者別又は支店別に有している座標はモバイル情報管理サーバ５０に登録される。モバイル情報管理サーバ５０は業者別に特定のＩＤ及び代表電話番号を付与してモバイルページと連動して登録し、当該業者に属する複数の加盟店に付与した座標を加盟店のモバイルページ及び電話番号と連動して登録する。
また、モバイル情報管理サーバ５０はユーザ端末２から特定の業種についての検索要求信号が印加された場合、当該業種別に既登録された複数の業者のうち、ユーザーから最も近い距離に位置した業者を抽出するための業種別業者情報と、業者別座標情報を格納する。
【００３３】
更に、モバイル情報管理サーバ５０は新たな接続基準座標の購入を申請する事業主の要求に対して購入要求した座標を中心に一定の半径内の領域３０と、当該既登録の接続基準座標を中心に一定の半径内の領域２６を表示する際に、重畳領域が発生するか否かを判断する。つまり、重畳が発生した座標は販売不可能である。
これによって、本発明は事業主がより多くの座標を有すれば有するほど、より多くのユーザーが接続でき、売上の上昇に直接的な相関関係を持つようになる。
加えて、モバイル情報管理サーバ５０は既登録の接続基準座標から一定の半径内に属しない座標領域２４を抽出する事業主に提供することで、座標の購入を促すことができる。
【００３４】
図４は本発明の一実施形態に係るインテリジェントモバイル情報管理システムを用いた顧客の接続過程を示す図である。
この図を参照すれば、本発明の一実施形態に係るインテリジェントモバイル情報管理システムは、図４に示すように、サービス別に相異なる支店が有することができる大型保険業者のような場合、ユーザ端末２から「三星火災」に関するキーワードと座標情報をモバイル情報管理サーバ５０が受信する。
それによって、モバイル情報管理サーバ５０は「三星火災」にマッチングされたモバイルページ３２を抽出してユーザ端末２に伝送し、そのユーザ端末２から「緊急出動３２Ａ」というサービスを選択した場合、当該情報がモバイル情報管理サーバ５０に伝送される。
そうすると、モバイル情報管理サーバ５０は当該業者の当該サービスに分類された複数の支店情報を抽出し、ユーザ端末２から自動伝送された座標情報及び既登録された各支店別座標情報を用いてユーザから最も近い距離に位置した支店を探索する。
【００３５】
また、モバイル情報管理サーバ５０は当該支店のモバイルページをユーザ端末２に伝送したり、又は自動電話接続が行われるように処理する。
一方、本発明は特定のＩＤ８に業者名とサービス名が組み合わせたＩＤであっても良い。このように組み合わせたＩＤを用いる場合、非常に効率的で便利な接続が可能である。
例えば、ＩＤで「三星火災緊急出動」をモバイル情報管理サーバ５０に登録した場合、ユーザがユーザ端末２に「三星火災緊急出動」を入力してモバイル情報管理サーバ５０に伝送すると、モバイル情報管理サーバ５０は直ぐに、当該ユーザから最も近い距離にある支店を抽出する。従って、非常に迅速な接続が可能となる。
【００３６】
図５は本発明の一実施形態に係るインテリジェントモバイル情報管理システムに含まれたユーザ端末とモバイル情報管理サーバの構成を示すブロック図である。
この図を参照すれば、本発明の一実施形態に係るインテリジェントモバイル情報管理システムに含まれたユーザ端末２はモバイル情報要求アプリケーション２０を搭載している。そのモバイル情報要求アプリケーション２０は特定のサーバに接続されるＡＰＩツールが装着された通信モジュール４２と、通常の通話回路部４４とを備えている。
【００３７】
また、モバイル情報要求アプリケーション２０は電話番号入力部６とキーワード入力部１２を備えたページと連動して電話番号やキーワードが入力されると、自動的に駆動されるように構成されており、当該ユーザ端末２の内部に搭載されたＧＰＳモジュール３４から自動的に座標を掛ける座標掛け部３６と；ユーザが入力したキーワードとユーザ端末２の座標を単一のパケットとして生成するパケット生成部３８と；を含んで構成される。
なお、モバイル情報要求アプリケーション２０はユーザの現在位置ではなく特定の仮想位置をユーザが入力できるようになった仮想位置入力部４０を有する。
【００３８】
また、モバイル情報要求アプリケーション２０はキーワードの入力時に座標情報を自動的に掛けて、モバイル情報管理サーバ５０に伝送し、モバイル情報管理サーバ５０から自動発信信号及び電話番号情報の転送を受けて通話回路部４４に自動発信信号を提供したり、又は特定のモバイルページに関するＵＲＬ情報を受信して接続されるように制御する制御部４６を含む。
本発明の一実施形態に係るインテリジェントモバイル情報管理システムに含まれたモバイル情報管理サーバ５０は、ユーザ端末２との通信を行う通信モジュール５２と；業者別に特定のＩＤ及び代表電話番号を付与してモバイルページと連動して登録し、当該業者に属する複数の加盟店に付与した座標を加盟店のモバイルページ及び電話番号と連動して登録したＩＤ−ＤＢ５４と；を含んで構成される。
また、モバイル情報管理サーバ５０は、ユーザ端末２から複数の加盟店が属する特定の業者のＩＤ又は代表電話番号への接続要求信号が印加された場合、当該加盟店のうちユーザーから最も近い距離に位置した加盟店を抽出するための距離演算を行う距離演算部５８を含んで構成される。
なお、モバイル情報管理サーバ５０は、ユーザ端末２から特定の業種についての検索要求信号が印加された場合、当該業種別に既登録された複数の業者のうち、ユーザーから最も近い距離に位置した業者を抽出するための業種別業者情報と、業者別座標情報を格納する業種ＤＢ５６と、を含む。
【００３９】
一方、モバイル情報管理サーバ５０は、新たな接続基準座標の購入を申請する事業主の要求に対して購入要求した座標を中心に一定の半径内の領域と、当該既登録の接続基準座標を中心に一定の半径内の領域を表示する時に、重畳領域が発生するか否かを判断する座標占有領域検索部６２、及び既登録の接続基準座標から一定の半径内に属しない座標を抽出する登録可能座標演算部６４を含む。
また、モバイル情報管理サーバ５０は特定のＩＤ又は電話番号にマッチングされた業者別モバイルページを格納するモバイルページＤＢ６０を含み、各構成を制御して距離演算及びマッチング情報の抽出と登録を行う制御部６６を含む。
【００４０】
次に、前述した構成を有した本発明の一実施形態に係るインテリジェントモバイル情報管理システムの機能と作用について、添付図面を参照して詳細に説明する。
図６は本発明の一実施形態に係るインテリジェントモバイル情報管理システムの信号の流れを示すフローチャートである。
まず、本発明の一実施形態に係るインテリジェントモバイル情報管理システムのモバイル情報管理サーバ５０は、業者別又は業者に属する支店や加盟店別にマッチングされるように一つ以上の座標を販売し、登録する。
このため、モバイル情報管理サーバ５０は業者別又は業者に属する支店や加盟店別にマッチングされるＩＤ（文字や数字、特殊文字で構成されたＩＤ）を販売し、各ＩＤ別にマッチングされるように座標を販売したり、又は各ＩＤに属する複数の支店別に座標を販売し、支店別に複数の座標を販売することもできる。
また、事業主側から受信した接続基準座標の購入要求信号を受信すると、モバイル情報管理サーバ５０は既登録の接続基準座標を抽出する。
【００４１】
次に、モバイル情報管理サーバ５０は購入要求した座標を中心に一定の半径内の領域と、当該既登録の接続基準座標を中心に一定の半径内の領域を表示する時に、重畳領域が発生するか否かを判断する。
重畳しない場合は、モバイル情報管理サーバ５０は当該座標の販売及び登録処理を行う。
重畳する場合は、モバイル情報管理サーバ５０は重畳しない複数の座標を抽出して事業主が閲覧可能に表示する。
前述した座標の販売及び登録が行われた状態で、モバイル情報管理サーバ５０はユーザ端末２から特定のＩＤや電話番号で構成された検索要求信号及び顧客の座標情報を受信するか否かを判断する。
この時、ユーザ端末２は検索ウィンドウに特定のＩＤや電話番号を入力する時に、自動的に当該ユーザの位置座標を掛けて、モバイル情報管理サーバ５０に伝送する。モバイル情報管理サーバ５０はユーザ端末２から特定のＩＤや電話番号で構成された検索要求信号を受信すると、自動的に客様の座標を知ることができる。
その状態で、モバイル情報管理サーバ５０は当該ＩＤや電話番号にマッチングされた業者の情報を抽出する。
【００４２】
また、ユーザ端末２に特定のＩＤや電話番号のほか、業種を入力することもできる。
例えば、当該業者の情報が一つ以上である場合、モバイル情報管理サーバ５０は当該顧客の座標に対する各業者の座標を用いて距離を演算し、モバイル情報管理サーバ５０が最も近い距離にある業者の情報を抽出する。
また、モバイル情報管理サーバ５０は当該業者のモバイルページが存在するか否かによって、モバイルページ又は実際の電話番号情報をユーザ端末２に伝送する。
電話番号である場合は、モバイル情報管理サーバ５０は電話番号の自動発信信号を当該ユーザ端末２に伝送すると共に、ユーザ端末２のモバイル情報要求アプリケーション２０が自動的に発信処理を行う。
【００４３】
また、モバイル情報管理サーバ５０がユーザ端末２からの自動位置掛けではなく、ユーザが指定した特定の座標に関する情報を受信することができる。
例えば、ユーザが移動している場合、特定の位置に到着することを予想して当該位置を入力し、最も近い距離にある支店への接続を要求することもできる。
【００４４】
一方、本発明の実施形態に係るインテリジェントモバイル情報管理システム及びその方法は、単に前述した実施形態に限定されるものではなく、その技術的要旨を逸脱しない範囲内で様々な変更が可能である。
【図１】
0006469236.tif 000002
【図２】
0006469236.tif 000003
【図３】
0006469236.tif 000004
【図４】
0006469236.tif 000005
【図５】
0006469236.tif 000006
【図６】
0006469236.tif 000007